(57)【要約】【課題】撮像可能枚数を算出する際に用いる動作電流データと実際の使用状態との誤差を低減し、撮像可能枚数を高精度に算出することができる撮像システムを提供する。【解決手段】被写体像を撮像する撮像装置と、前記撮像装置に着脱可能な電池とを備える撮像システムであって、前記電池から前記撮像装置に供給される電流を計測する電流計測手段と、前記電池の残量を検出する電池残量検出手段と、ユーザからの入力によって前記電流計測手段が電流を計測する期間を設定する設定手段と、前記設定手段によって設定された期間に前記電流計測手段が計測した電流の積算値を示す動作電流データと、前記設定手段によって設定された期間に前記撮像装置が前記被写体像を撮像した枚数と、前記電池残量検出手段によって検出された電池の残量とに基づいて前記撮像装置の撮像可能枚数を算出する算出手段とを有することを特徴とする撮像システムを提供する。【選択図】図１
2009130462.tif 000002
【特許請求の範囲】
【請求項１】
被写体像を撮像する撮像装置と、前記撮像装置に着脱可能な電池とを備える撮像システムであって、
前記電池から前記撮像装置に供給される電流を計測する電流計測手段と、
前記電池の残量を検出する電池残量検出手段と、
ユーザからの入力によって前記電流計測手段が電流を計測する期間を設定する設定手段と、
前記設定手段によって設定された期間に前記電流計測手段が計測した電流の積算値を示す動作電流データと、前記設定手段によって設定された期間に前記撮像装置が前記被写体像を撮像した枚数と、前記電池残量検出手段によって検出された電池の残量とに基づいて前記撮像装置の撮像可能枚数を算出する算出手段とを有することを特徴とする撮像システム。
【請求項２】
前記電流計測手段が電流を計測する期間は、所定の時間で規定されることを特徴とする請求項１記載の撮像システム。
【請求項３】
前記電流計測手段が電流を計測する期間は、前記撮像装置が前記被写体像を所定の枚数だけ撮像するまでの期間で規定されることを特徴とする請求項１記載の撮像システム。
【請求項４】
前記電流計測手段が電流を計測する期間は、前記電池が所定の残量になるまでの期間で規定されることを特徴とする請求項１記載の撮像システム。
【請求項５】
被写体像を撮像する撮像装置であって、
前記撮像装置に供給する電流を計測するとともに、電池の残量を検出することのできる電池と通信する通信手段と、
ユーザからの入力によって前記電池が電流を計測する期間を前記通信手段を介して設定する設定手段と、
前記設定手段によって設定された期間に前記電池が計測した電流の積算値を示す動作電流データと前記電池が検出した電池の残量、及び、前記設定手段によって設定された期間に前記被写体像を撮像した枚数に基づいて撮像可能枚数を算出する算出手段とを有することを特徴とする撮像装置。
【請求項６】
外部接続機器に着脱可能な電池であって、
前記外部接続機器と通信する通信手段と、
前記通信手段を介して前記外部接続機器から設定される期間において、前記外部接続機器に供給した電流を計測する電流計測手段と、
前記電池の残量を検出する電池残量検出手段とを有し、
前記通信手段は、前記外部接続機器からの指示に応じて、前記電流計測手段が計測した電流の積算値を示す動作電流データと前記電池残量検出手段によって検出された電池の残量を送信することを特徴とする電池。
【請求項７】
被写体像を撮像する撮像装置と、前記撮像装置に着脱可能な電池とを備える撮像システムの制御方法であって、
前記電池から前記撮像装置に供給される電流を計測する電流計測ステップと、
前記電池の残量を検出する電池残量検出ステップと、
ユーザからの入力によって前記電流計測ステップで電流を計測する期間を設定する設定ステップと、
前記設定ステップで設定された期間に前記電流計測ステップで計測した電流の積算値を示す動作電流データと、前記設定ステップで設定された期間に前記撮像装置が前記被写体像を撮像した枚数と、前記電池残量検出ステップで検出された電池の残量とに基づいて前記撮像装置の撮像可能枚数を算出する算出ステップとを有することを特徴とする制御方法。
【請求項８】
撮像装置に供給する電流を計測するとともに、電池の残量を検出することのできる電池と通信する通信手段を有する撮像装置の制御方法であって、
ユーザからの入力によって前記電池が電流を計測する期間を前記通信手段を介して設定する設定ステップと、
前記設定ステップで設定された期間に前記電池が計測した電流の積算値を示す動作電流データと前記電池が検出した電池の残量、及び、前記設定ステップで設定された期間に被写体像を撮像した枚数に基づいて撮像可能枚数を算出する算出ステップとを有することを特徴とする制御方法。
【請求項９】
外部接続機器と通信する通信手段を有し、前記外部接続機器に着脱可能な電池の制御方法であって、
前記通信手段を介して前記外部接続機器から設定される期間において、前記外部接続機器に供給した電流を計測する電流計測ステップと、
前記電池の残量を検出する電池残量検出ステップと、
前記外部接続機器からの指示に応じて、前記電流計測ステップで計測した電流の積算値を示す動作電流データと前記電池残量検出ステップで検出された電池の残量を送信する送信ステップとを有することを特徴とする制御方法。
【発明の詳細な説明】
【技術分野】
【０００１】
本発明は、撮像システム、撮像装置、電池及び制御方法に関する。
【背景技術】
【０００２】
近年、撮像装置の一つとして、被写体からの光を、光学レンズを介して撮像素子に結像して被写体の画像を撮像及び記録する電子カメラが普及してきている。電子カメラは、一般的に、電池から供給される電力によって動作するが、電池が貯蔵している電力は有限であるため、電池残量が所定量以下に減少した場合、撮像等の動作が不可能（即ち、電子カメラが使用不可能）になる。電子カメラにおいては、使用可能な状態から突然使用不可能な状態になることを防止するために、電池残量を定期的に監視（検出）し、電子カメラに備えられた表示機能を用いて電池残量をユーザに通知している。
【０００３】
電池残量を検出する技術としては、例えば、無負荷状態での電圧（開放電圧）と所定の有負荷状態での電圧（有負荷電圧）を測定し、かかる測定結果（開放電圧値及び有負荷電圧値）に基づいて内部抵抗値を算出して電池残量を予測する技術が知られている。電池は、放電すると電圧が低くなる、及び、内部抵抗が高くなるという特性を有しているため、開放電圧値と有負荷電圧値から電池残量を予測することが可能である。
【０００４】
また、電池にマイコンを内蔵させて充電電流量及び放電電流量を電池自身で常に監視（検出）するＦＧ（Ｆｕｅｌ  Ｇａｕｇｅ）と呼ばれる新しい技術も提案されている。ＦＧは、開放電圧値と有負荷電圧値から電池残量を予測する技術と異なり、充電電流量及び放電電流量（充放電電流データ）を直接取得することができるため、電池残量を高精度に検出することが可能である。なお、電子カメラと電池との間には通信信号線が構成されており、電池から監視データを受信することで、電子カメラ側において電池残量を把握することができる。
【０００５】
一方、ユーザに通知される電池残量は、例えば、「満充電状態に対して５０％」というように示されるのが一般的である。従って、電池残量を撮像可能枚数に換算するとどのくらいになるのかは直感的にはわからず、ユーザの経験的な判断に任せている（即ち、通知された電池残量に基づいてユーザ側で撮像可能枚数を予測している）。その結果、ユーザ側で予測した撮像可能枚数と実際の撮像可能枚数との間に少なからず誤差が生じてしまう。つまり、ユーザが求める情報は、電池残量ではなく、その電池残量で撮像できる撮像可能枚数である。
【０００６】
そこで、電池残量に代わって撮像可能枚数をユーザに通知する技術が提案されている（特許文献１参照）。特許文献１では、撮像時の動作電流データと電池残量とに基づいて撮像可能枚数を算出している。１コマ撮像するために必要な電流積算量及び電池残量がわかれば、撮像可能枚数を求めることが可能である。
【特許文献１】特開２００４−３３６３３６号公報
【発明の開示】
【発明が解決しようとする課題】
【０００７】
しかしながら、従来技術では、ユーザに通知した撮像可能枚数に対して、実際の撮像可能枚数が大きく異なる場合が生じてしまっていた。
【０００８】
特許文献１に開示された技術では、電池残量を高精度に把握すること、及び、実際の撮像時の電流積算量と演算に使用される動作電流データとが一致していることが重要である。電池残量に関しては、ＦＧを用いることで電池残量を高精度に把握することが可能である。一方、実際の撮像時の電流積算量と演算に使用される動作電流データとを完全に一致させることは、撮像状態（撮像モード）によって電流値が大きく変動するため、非常に困難である。特許文献１では、撮像モードに応じた代表的な動作電流データを予め電子カメラに用意している。例えば、スポーツモードでは連写で複数枚連続撮像することを想定したり、夜景モードではストロボ発光及びスローシャッタを想定したりして、それぞれの撮像モードに特化した動作電流データを用意している。従って、特許文献１では、実際に電子カメラを使用する状態（ユーザの選択した撮像モード）と動作電流データとが一致していれば、撮像可能枚数を高精度に算出することが可能である。但し、実際には、電子カメラを使用する状態と動作電流データとが一致しない場合が多々あり、撮像可能枚数を精度よく算出することができないばかりか、大きな誤差を生じる可能性がある。
【０００９】
また、実際に撮像した際の動作電流データを連続的に取得して、その履歴（即ち、撮像前の所定枚数分の動作電流履歴データ）を用いて撮像可能枚数を算出することも考えられる。この場合、撮像する直前の動作電流データを用いるため、同じ撮像モードが継続される状態であれば、撮像可能枚数を高精度に算出することが可能である。但し、動作電流履歴データを取得した時とユーザが異なる場合や、動作電流履歴データを取得した時の使用状態と実際の使用状態とが大きく異なる場合などでは、撮像可能枚数を精度よく算出することができなかったり、大きな誤差を生じてしまったりする。
【００１０】
本発明は、このような従来技術の課題に鑑みて、撮像可能枚数を算出する際に用いる動作電流データと実際の使用状態との誤差を低減し、撮像可能枚数を高精度に算出することができる撮像システムを提供することを例示的目的とする。
【課題を解決するための手段】
【００１１】
上記目的を達成するために、本発明の第１の側面としての撮像システムは、被写体像を撮像する撮像装置と、前記撮像装置に着脱可能な電池とを備える撮像システムであって、前記電池から前記撮像装置に供給される電流を計測する電流計測手段と、前記電池の残量を検出する電池残量検出手段と、ユーザからの入力によって前記電流計測手段が電流を計測する期間を設定する設定手段と、前記設定手段によって設定された期間に前記電流計測手段が計測した電流の積算値を示す動作電流データと、前記設定手段によって設定された期間に前記撮像装置が前記被写体像を撮像した枚数と、前記電池残量検出手段によって検出された電池の残量とに基づいて前記撮像装置の撮像可能枚数を算出する算出手段とを有することを特徴とする。
【００１２】
本発明の第２の側面としての撮像装置は、被写体像を撮像する撮像装置であって、前記撮像装置に供給する電流を計測するとともに、電池の残量を検出することのできる電池と通信する通信手段と、ユーザからの入力によって前記電池が電流を計測する期間を前記通信手段を介して設定する設定手段と、前記設定手段によって設定された期間に前記電池が計測した電流の積算値を示す動作電流データと前記電池が検出した電池の残量、及び、前記設定手段によって設定された期間に前記被写体像を撮像した枚数に基づいて撮像可能枚数を算出する算出手段とを有することを特徴とする。
【００１３】
本発明の第３の側面としての電池は、外部接続機器に着脱可能な電池であって、前記外部接続機器と通信する通信手段と、前記通信手段を介して前記外部接続機器から設定される期間において、前記外部接続機器に供給した電流を計測する電流計測手段と、前記電池の残量を検出する電池残量検出手段とを有し、前記通信手段は、前記外部接続機器からの指示に応じて、前記電流計測手段が計測した電流の積算値を示す動作電流データと前記電池残量検出手段によって検出された電池の残量を送信することを特徴とする。
【００１４】
本発明の第４の側面としての制御方法は、被写体像を撮像する撮像装置と、前記撮像装置に着脱可能な電池とを備える撮像システムの制御方法であって、前記電池から前記撮像装置に供給される電流を計測する電流計測ステップと、前記電池の残量を検出する電池残量検出ステップと、ユーザからの入力によって前記電流計測ステップで電流を計測する期間を設定する設定ステップと、前記設定ステップで設定された期間に前記電流計測ステップで計測した電流の積算値を示す動作電流データと、前記設定ステップで設定された期間に前記撮像装置が前記被写体像を撮像した枚数と、前記電池残量検出ステップで検出された電池の残量とに基づいて前記撮像装置の撮像可能枚数を算出する算出ステップとを有することを特徴とする。
【００１５】
本発明の第５の側面としての制御方法は、撮像装置に供給する電流を計測するとともに、電池の残量を検出することのできる電池と通信する通信手段を有する撮像装置の制御方法であって、ユーザからの入力によって前記電池が電流を計測する期間を前記通信手段を介して設定する設定ステップと、前記設定ステップで設定された期間に前記電池が計測した電流の積算値を示す動作電流データと前記電池が検出した電池の残量、及び、前記設定ステップで設定された期間に被写体像を撮像した枚数に基づいて撮像可能枚数を算出する算出ステップとを有することを特徴とする。
【００１６】
本発明の第６の側面としての制御方法は、外部接続機器と通信する通信手段を有し、前記外部接続機器に着脱可能な電池の制御方法であって、前記通信手段を介して前記外部接続機器から設定される期間において、前記外部接続機器に供給した電流を計測する電流計測ステップと、前記電池の残量を検出する電池残量検出ステップと、前記外部接続機器からの指示に応じて、前記電流計測ステップで計測した電流の積算値を示す動作電流データと前記電池残量検出ステップで検出された電池の残量を送信する送信ステップとを有することを特徴とする。
【００１７】
本発明の更なる目的又はその他の特徴は、以下、添付図面を参照して説明される好ましい実施例によって明らかにされるであろう。
【発明の効果】
【００１８】
本発明によれば、例えば、撮像可能枚数を算出する際に用いる動作電流データと実際の使用状態との誤差を低減し、撮像可能枚数を高精度に算出することができる撮像システムを提供することができる。
【発明を実施するための最良の形態】
【００１９】
以下、添付図面を参照して、本発明の好適な実施の形態について説明する。なお、各図において、同一の部材については同一の参照番号を付し、重複する説明は省略する。
【００２０】
図１は、本発明の一側面としての撮像システム１の構成を示す概略ブロック図である。撮像システム１は、被写体の画像を撮像する撮像装置１００と、撮像装置１００に着脱可能（装着可能）に構成されて撮像装置１００に電力を供給する２次電池２００とを有する。撮像装置１００及び２次電池２００のそれぞれには、電力供給用及びデータ通信用の端子部３００ａ及び３００ｂが設けられている。撮像装置１００の端子部３００ａと２次電池２００の端子部３００ｂとが接続することによって、撮像装置１００に２次電池２００が装着される。
【００２１】
撮像装置１００は、本実施形態では、電子カメラとして具現化され、光学レンズ１０２と、撮像処理回路１０４と、画像処理回路１０６と、メモリ制御回路１０８と、システム制御回路１１０とを有する。更に、撮像装置１００は、不揮発性メモリ１１２と、メモリ１１４と、表示回路１１６と、記録用メモリ１１８と、ＤＣＤＣコンバータ１２０と、操作スイッチ１２２とを有する。
【００２２】
光学レンズ１０２は、被写体像を撮像処理回路１０４に含まれる撮像素子に結像する。
【００２３】
撮像処理回路１０４は、撮像素子やＡＤ変換回路などを含み、光学レンズ１０２を介して結像された被写体像をＡＤ変換してデジタルデータにする。
【００２４】
画像処理回路１０６は、撮像処理回路１０４で変換されたデジタルデータ（被写体像）に対して所定の画像処理を施す回路である。
【００２５】
メモリ制御回路１０８は、システム制御回路１１０と、メモリ１１４と、表示回路１１６と、記録用メモリ１１８との間において、データの送受信を制御する。
【００２６】
システム制御回路１１０は、撮像装置１００の全体を制御する回路である。システム制御回路１１０には、２次電池２００と通信する（即ち、２次電池２００とデータの送受信を行う）通信回路としての機能が内蔵されている。また、システム制御回路１１０は、撮像システム１において主演算を行う演算処理回路としての機能も備えている。例えば、システム制御回路１１０は、電池制御回路２０４と通信し、撮像可能枚数を算出する。なお、システム制御回路１１０は、所定の期間（本実施形態では、電流計測回路２０６が電流を計測する期間）において、撮像装置１００が被写体像を撮像した枚数を検出する機能を備えている。
【００２７】
不揮発性メモリ１１２は、システム制御回路１１０の動作用の定数、変数、プログラムなどを記録するメモリである。
【００２８】
メモリ１１４は、ＳＤＲＡＭなどの高速アクセス可能な揮発性メモリで構成される。
【００２９】
表示回路１１６は、ＬＣＤディスプレイなどの表示デバイスを含み、撮像した画像をフルカラーで表示したり、撮像した画像サイズや容量、記録用メモリ１１８の空き容量などを表示したりする。また、表示回路１１６は、入力デバイスとしても使用することが可能である。
【００３０】
記録用メモリ１１８は、撮像装置１００に着脱可能に構成され、空き容量が不足した場合は交換することができる。
【００３１】
ＤＣＤＣコンバータ１２０は、端子部３００ａ及び３００ｂを介して、２次電池２００から供給される電力を電圧変換して、撮像装置１００の各回路に供給する機能を有する。
【００３２】
操作スイッチ１２２は、システム制御回路１１０と接続し、撮像装置１００の操作に関連する指示を入力するためのスイッチである。操作スイッチ１２２は、本実施形態では、表示回路１１６と共同して、動作電流データを取得する期間、即ち、後述する電流計測回路２０６が電流を計測する期間を設定する設定手段として機能する。
【００３３】
２次電池２００は、外部接続機器としての撮像装置１００に対して、撮像動作、オートフォーカス動作（ＡＦ）、絞り駆動動作を行うための電力を供給する電池である。２次電池２００は、電池セル２０２と、電池制御回路２０４と、電流計測回路２０６と、電圧計測回路２０８と、メモリ２１０とを有する。
【００３４】
電池セル２０２は、撮像装置１００に供給する電力を貯蔵する機能を有し、例えば、リチウムイオン電池などで構成される。
【００３５】
電池制御回路２０４は、２次電池２００の全体を制御する回路である。電池制御回路２０４は、端子部３００ａ及び３００ｂを介してシステム制御回路１１０に接続され、４線式シリアルインターフェースなどで通信可能な構成となっている。換言すれば、電池制御回路２０４には、撮像装置１００と通信する（即ち、撮像装置１００とデータの送受信を行う）通信回路としての機能が内蔵されている。電池制御回路２０４は、本実施形態では、電流計測回路２０６が計測した充電電流量と放電電流量とに基づいて電池残量を高精度に算出（検出）する電池残量検出手段として機能する。
【００３６】
電流計測回路２０６は、電池セル２０２から撮像装置１００に供給される電流、充電時にチャージャーから供給される電流（充電電流量）や放電時の電流（放電電流量）を計測する回路である。また、電流計測回路２０６は、撮像装置１００の所定の動作時の動作電流データを取得するための回路としても機能する。
【００３７】
電圧計測回路２０８は、電池セル２０２の電圧を計測する回路である。
【００３８】
メモリ２１０は、電池制御回路２０４を介して、電流計測回路２０６及び電圧計測回路２０８の計測結果を記録する。なお、メモリ２１０は、電流計測回路２０６及び電圧計測回路２０８の計測結果を順次記録して履歴データとして記録することができる。また、メモリ２１０は、電池制御回路２０４で算出された電池残量を記録することも可能である。
【００３９】
以下、図２を参照して、撮像システム１における撮像可能枚数を算出する動作について説明する。
【００４０】
まず、ステップＳ４０２において、システム制御回路１１０は、２次電池２００の電池残量データＺ［ｍＡｈ］を取得する。具体的には、システム制御回路１１０は、電池制御回路２０４と通信し、電池残量データＺ［ｍＡｈ］を要求する。かかる要求に対して、電池制御回路２０４は、メモリ２１０に記録された電流計測回路２０６の計測結果（充電電流量及び放電電流量）に基づいて電池残量を算出し、電池残量データＺ［ｍＡｈ］としてシステム制御回路１１０に送信する。
【００４１】
次に、ステップＳ４０４において、システム制御回路１１０は、不揮発性メモリ１１２から動作電流データＸ［ｍＡｈ］を読み出す。動作電流データＸ［ｍＡｈ］は、画像を１コマ撮像するために必要な電流積算量を表すパラメータである。なお、動作電流データＸ［ｍＡｈ］を算出（取得）する動作については後で詳細に説明する。
【００４２】
次いで、ステップＳ４０６において、システム制御回路１１０は、ステップＳ４０２で取得した電池残量データＺ［ｍＡｈ］とステップＳ４０４で読み出した動作電流データＸ［ｍＡｈ］とに基づいて撮像可能枚数α［枚］を算出する。撮像可能枚数α［枚］は、具体的には、以下の式１から算出することができる。
【００４３】
【数１】
2009130462.tif 000003
【００４４】
次に、ステップＳ４０８において、システム制御回路１１０は、ステップＳ４０６で算出した撮像可能枚数α［枚］を表示回路１１６に表示して、ユーザに撮像可能枚数を通知する。
【００４５】
ここで、図３及び図４を参照して、撮像システム１における動作電流データを算出（取得）する動作について説明する。図３は、撮像システム１の撮像装置１００における動作電流データを算出するための動作を説明するためのフローチャートである。図４は、撮像システム１の２次電池２００における動作電流データを算出するための動作を説明するためのフローチャートである。まず、撮像装置１００における動作電流データを算出するための動作について説明する。
【００４６】
ステップＳ５０２において、システム制御回路１１０は、ユーザから撮像装置１００の動作電流の計測を開始する指示を受け付ける。なお、ユーザは、表示回路１１６や操作スイッチ１２２を用いたＧＵＩ操作によって、撮像装置１００の動作電流の計測を開始する指示を入力する。
【００４７】
次いで、ステップＳ５０４において、システム制御回路１１０は、電池制御回路２０４と通信し、電池セル２０２から供給される電流値（即ち、撮像装置１００の動作電流値）をΔｔ［ｍｓｅｃ］毎に定期的に計測するように指示する。
【００４８】
電流値の計測を指示したシステム制御回路１１０は、ステップＳ５０６において、ユーザから撮像動作の指示等を受け付けて通常の動作を行うと共に、電池制御回路２０４から電流データ（計測した電流値）が送信されたかどうか監視する。但し、一般には、ステップＳ５０６において、電池制御回路２０４から電池データが送信されることはなく、後述するように、２次電池２００のメモリ２１０の空き容量がなくなった場合にのみ電池制御回路２０４から電池データが送信される。
【００４９】
システム制御回路１１０は、電池制御回路２０４から電流データが送信されると、ステップＳ５０８において、電池制御回路２０４から電流データを受信する。また、システム制御回路１１０は、ステップＳ５１０において、ステップＳ５０８で電池制御回路２０４から受信した電流データを不揮発性メモリ１１２に記録する。不揮発性メモリ１１２には、電池制御回路２０４から電流データを受信するたびに順次記録される。
【００５０】
なお、２次電池２００のメモリ２１０の空き容量が十分にあり、ステップＳ５０６で電池制御回路２０４から電流データが送信されていなければ、ステップＳ５１２に進む。
【００５１】
次に、ステップＳ５１２において、システム制御回路１１０は、ユーザから撮像装置１００の動作電流の計測を終了する指示が入力されたかどうかを監視する。
【００５２】
ユーザから撮像装置１００の動作電流の計測を終了する指示が入力されていなければ、ステップＳ５０６に戻る。
【００５３】
一方、ユーザから撮像装置１００の動作電流の計測を終了する指示が入力されると、ステップＳ５１４において、システム制御回路１１０は、電池セル２０２から供給される電流値の計測の終了を電池制御回路２０４に指示する。
【００５４】
次いで、ステップＳ５１６では、電池制御回路２０４から電流データを受信する。また、ステップＳ５１８において、システム制御回路１１０は、ステップＳ５１６で電池制御回路２０４から受信した電流データを不揮発性メモリ１１２に記録する。このようにしてユーザが意図する撮像装置１００の動作時の電流データが不揮発性メモリ１１２に記録される。
【００５５】
次に、ステップＳ５２０において、システム制御回路１１０は、不揮発性メモリ１１２に記録されている全ての電流データを読み出す。不揮発性メモリ１１２には、１次行列の電流データＩ（Ｎ）が記録されている。
【００５６】
次いで、ステップＳ５２２において、システム制御回路１１０は、動作電流データＸを算出する。電池セル２０２から供給される電流値を計測したサンプリング周期はΔｔ［ｍｓｅｃ］であることから、動作電流データＸは、以下の式２から算出することができる。
【００５７】
【数２】
2009130462.tif 000004
【００５８】
式２において、Ｎは動作電流データの数、Ｙは電池セル２０２から供給される電流値を計測している期間に撮像した枚数である。
【００５９】
なお、システム制御回路１１０は、ステップＳ５２２で算出した動作電流データＸを不揮発性メモリ１１２に記録し、上述した撮像可能枚数を算出する際に用いる。
【００６０】
次に、２次電池２００における動作電流データを算出するための動作について説明する。
【００６１】
まず、システム制御回路１１０から電流値を計測する指示（ステップＳ５０４）を受け付けた電池制御回路２０４は、ステップＳ６０２において、電流計測回路２０６を制御して、Δｔ［ｍｓｅｃ］毎に電池セル２０２から供給される電流値を計測する。また、電池制御回路２０４は、ステップＳ６０４において、ステップＳ６０２で計測した電流値をメモリ２１０に記録する。
【００６２】
次いで、電池制御回路２０４は、ステップＳ６０６において、システム制御回路１１０から電流値の計測の終了が指示されている（ステップＳ５１４）かどうかを確認する。
【００６３】
システム制御回路１１０から電流値の計測の終了が指示されていなければ、ステップＳ６０８に進む。
【００６４】
ステップＳ６０８において、電池制御回路２０４は、計測した電流値を記録するメモリ２１０の空き容量が十分であるかどうか（次に計測される電流値を記録できるかどうか）を確認する。
【００６５】
メモリ２１０の空き容量が十分であれば、ステップＳ６０２に戻り、ステップＳ６０２乃至Ｓ６０８を繰り返す。これにより、計測された電流値（電流データ）は、メモリ２１０に順次記録されていくため、１次の行列データとなって記録される。
【００６６】
メモリ２１０の空き容量が十分でなければ（即ち、メモリ２１０の空き容量が所定量以下になった場合には）、ステップＳ６１０に進む。ステップＳ６１０において、電池制御回路２０４は、システム制御回路１１０と通信し、メモリ２１０に記録されている１次行列の電流データを送信する（ステップＳ５０８及びＳ５１０に相当）。
【００６７】
また、電流データの送信が完了すると、電池制御回路２０４は、ステップＳ６１２において、メモリ２１０に記録されている電流データを削除する。これにより、メモリ２１０に空き容量を確保することができる。
【００６８】
一方、システム制御回路１１０から電流値の計測の終了が指示されていれば、ステップＳ６１４に進む。ステップＳ６１４において、電池制御回路２０４は、電流計測回路２０６を制御して、電池セル２０２から供給される電流値の計測を終了する。
【００６９】
次いで、ステップＳ６１６において、メモリ２１０に記録されている１次行列の電流データをシステム制御回路１１０に送信する。このようにしてユーザが意図する撮像装置１００の動作時の電流データがシステム制御回路１１０に送信される。
【００７０】
また、電流データの送信が完了すると、電池制御回路２０４は、ステップＳ６１８において、メモリ２１０に記録されている電流データを削除する。
【００７１】
このように、本実施形態の撮像システム１によれば、撮像可能枚数を算出する際に用いられる動作電流データを取得する期間（即ち、電流値を計測する期間）を、ユーザが任意に設定することができる。従って、撮像システム１は、ユーザの意図した使用状態に応じた動作電流データを取得することが可能である。換言すれば、撮像システム１は、撮像可能枚数を算出する際に用いる動作電流データと実際の使用状態との誤差を低減し、撮像可能枚数を高精度に算出することができる。
【００７２】
本実施形態においては、動作電流データＸは、動作電流データを取得する期間に電池セル２０２から供給される電流の積算値を示す情報と電池セル２０２から供給される電流値を計測している期間に撮像した枚数を示す情報とを含んでいる。但し、動作電流データを取得する期間に電池セル２０２から供給される電流の積算値を示す情報のみを動作電流データとし、電池セル２０２から供給される電流値を計測している期間に撮像した枚数を示す情報を別にしてもよい。この場合、動作電流データを取得する期間に電池セル２０２から供給される電流の積算値を示す動作電流データと、電池セル２０２から供給される電流値を計測している期間に撮像した枚数と、電池残量とに基づいて撮像可能枚数を算出する。
【００７３】
なお、本実施形態においては、動作電流データを取得する期間をユーザの入力によって直接設定する例を説明したが、動作電流データを取得する期間を、所定の時間で規定してもよい。この場合、電流計測回路２０６は、電池セル２０２から供給される電流値を所定の時間だけ計測する。
【００７４】
また、動作電流データを取得する期間を、撮像装置１００が被写体像を所定の枚数だけ撮像するまでの期間で規定してもよい。この場合、電流計測回路２０６は、撮像装置１００が被写体像を所定の枚数だけ撮像するまで電池セル２０２から供給される電流値を計測する。
【００７５】
また、動作電流データを取得する期間を、電池セル２０２が所定の残量になるまでの期間で規定してもよい。この場合、電流計測回路２０６は、電池セル２０２の残量が所定の残量になるまで電池セル２０２から供給される電流値を計測する。
【００７６】
以上、本発明の好ましい実施例について説明したが、本発明はこれらの実施例に限定されないことはいうまでもなく、その要旨の範囲内で種々の変形及び変更が可能である。
【図面の簡単な説明】
【００７７】
【図１】本発明の一側面としての撮像システムの構成を示す概略ブロック図である。
【図２】図１に示す撮像システムにおける撮像可能枚数を算出する動作を説明するためのフローチャートである。
【図３】図１に示す撮像システムの撮像装置における動作電流データを算出するための動作を説明するためのフローチャートである。
【図４】図１に示す撮像システムの２次電池における動作電流データを算出するための動作を説明するためのフローチャートである。
【符号の説明】
【００７８】
１                              撮像システム
１００                          撮像装置
１０２                          光学レンズ
１０４                          撮像回路
１０６                          画像処理回路
１０８                          メモリ制御回路
１１０                          システム制御回路
１１２                          不揮発性メモリ
１１４                          メモリ
１１６                          表示回路
１１８                          記録用メモリ
１２０                          ＤＣＤＣコンバータ
１２２                          操作スイッチ
２００                          ２次電池
２０２                          電池セル
２０４                          電池制御回路
２０６                          電流計測回路
２０８                          電圧計測回路
２１０                          メモリ
３００ａ及び３００ｂ            端子部
【図１】
2009130462.tif 000005
【図２】
2009130462.tif 000006
【図３】
2009130462.tif 000007
【図４】
2009130462.tif 000008